(57)【要約】【課題】信頼性が高く、小型化、低価格化が可能なチャネルフィルタおよび光分岐挿入装置を提供する。【解決手段】本発明の一実施形態によるチャネルフィルタ（１００）において、波長多重された信号光が波長分波手段（１０２）により波長の異なる複数のチャネルの信号光に分波される。複数のチャネルのそれぞれには、励起光供給手段（１０６）により励起光が供給される。励起光のそれぞれは、光パワー調整手段（１１８）により光パワーが調整され、この励起光により複数のチャネルの信号光のそれぞれが光増幅手段（１０８）により増幅または減衰される。増幅または減衰された信号光のそれぞれの光パワーが光検出手段（１１４）により検出され、検出された光パワーに応じて、制御手段（１１６）により励起光のそれぞれの光パワーが光パワー調整手段を介して調整される。光増幅手段により増幅または減衰された信号光は、波長合波手段（１０４）により合波される。【選択図】図１
2008193512.tif 000002
【特許請求の範囲】
【請求項１】
波長多重された信号光を波長の異なる複数のチャネルの信号光に分波する波長分波手段と、
前記複数のチャネルのそれぞれに励起光を供給する励起光供給手段と、
前記励起光供給手段からの複数のチャネルの励起光のそれぞれの光パワーを調整可能な光パワー調整手段と、
前記光パワー調整手段により光パワーの調整された励起光により前記複数のチャネルの信号光のそれぞれを増幅または減衰する光増幅手段と、
前記光増幅手段により増幅または減衰された信号光のそれぞれの光パワーを検出する光検出手段と、
前記光検出手段により検出された信号光のそれぞれの光パワーに応じて、前記光パワー調整手段を制御して前記励起光のそれぞれの光パワーを調整する制御手段と、
前記光増幅手段により増幅または減衰された信号光を合波する波長合波手段と
を備えたことを特徴とするチャネルフィルタ。
【請求項２】
請求項１に記載のチャネルフィルタであって、
前記波長分波手段、前記光パワー調整手段、前記光増幅手段、前記光検出手段、および前記波長合波手段の少なくとも一部が平面光波回路として作製されていることを特徴とするチャネルフィルタ。
【請求項３】
第１のポートから入力される波長多重された信号光を第２のポートから出力する光サーキュレータ手段と、
前記光サーキュレータ手段の第２のポートからの前記波長多重された信号光を波長の異なる複数のチャネルの信号光に分波する波長合分波手段と、
前記複数のチャネルのそれぞれに励起光を供給する励起光供給手段と、
前記励起光供給手段からの複数のチャネルの励起光のそれぞれの光パワーを調整可能な光パワー調整手段と、
前記光パワー調整手段により光パワーの調整された励起光により前記複数のチャネルの信号光のそれぞれを増幅または減衰する光増幅手段と、
前記光増幅手段により増幅または減衰された信号光のそれぞれを反射する光反射手段と、
前記光反射手段により反射された信号光のそれぞれの光パワーを検出する光検出手段と、
前記光検出手段により検出された信号光のそれぞれの光パワーに応じて、前記光パワー調整手段を制御して前記励起光のそれぞれの光パワーを調整する制御手段と
を備え、
前記光反射手段により反射された信号光は、前記波長合分波手段により合波され、前記光サーキュレータの第２のポートから第３のポートに出力されることを特徴とするチャネルフィルタ。
【請求項４】
請求項３に記載のチャネルフィルタであって、
前記波長合分波手段、前記光パワー調整手段、前記光増幅手段、前記光反射手段、および前記光検出手段の少なくとも一部が平面光波回路として作製されていることを特徴とするチャネルフィルタ。
【請求項５】
請求項１から４のいずれかに記載のチャネルフィルタであって、
前記光増幅媒体は、Ｅｒ添加光導波路であることを特徴とするチャネルフィルタ。
【請求項６】
請求項１から５のいずれかに記載のチャネルフィルタを備えた光分岐挿入装置。
【発明の詳細な説明】
【技術分野】
【０００１】
本発明は、フォトニックネットワークにおけるチャネルフィルタおよび光分岐挿入装置に関する。
【背景技術】
【０００２】
フォトニックネットワークにおいては、光クロスコネクト装置や光分岐挿入装置を用いてルーティングやリストレーションなどのネットワーク機能が実現されている。図１０に示すように、光分岐挿入装置１０は、信号光を分岐する光分岐器１２と、光分岐器の一方のポートからの信号光を分波する分波器１４と、光分岐器の他方のポートからの信号光を透過させるチャネルフィルタ１６と、信号光を合波する合波器１８と、チャネルフィルタおよび合波器からの信号光を結合する光結合器２０とから構成されている。
【０００３】
チャンネルフィルタ１６は、光分岐器１２により分岐したチャネルの信号光を透過させないようにするために、光分岐器１２と光結合器２０との間に挿入されている。すなわち、このチャネルフィルタ１６により、光分岐器１２により分岐したチャネルの信号光が、光結合器２０により挿入されたチャネルの信号光に干渉することを防止している。このチャネルフィルタとしては、主にマイクロエレクトロメカニカルシステム（ＭＥＭＳ）ミラーが用いられている（非特許文献１参照）。
【０００４】
光分岐挿入装置では、光分岐器やチャネルフィルタの挿入損失、分波器や合波器の損失のために、信号光のパワーが小さくなる。そのため、通常のノードのシステム構成では、図１１に示すように、光分岐挿入装置１０の入力側に光増幅器（プリアンプ）２２を配置し、出力側に光増幅器（ブースタアンプ）２４を配置している。すなわち、プリアンプ２２により、伝送ファイバを伝搬中にパワーが小さくなった信号光を増幅して光分岐挿入装置１０に入力し、ブースタアンプ２４により、光分岐挿入装置１０を通過中にパワーが小さくなった信号光を増幅して伝送ファイバへ送出している。
【０００５】
【非特許文献１】D. Neilson, et al., “Channel Equalization and Blocking Filter Utilizing Microelectromechanical Mirrors,” IEEE Journal of Selected Topics in Quantum Electronics, vol. 10, no. 3, May/June 2004, pp. 563-569
【発明の開示】
【発明が解決しようとする課題】
【０００６】
しかしながら、ＭＥＭＳミラーには機械的駆動部があるため、これを用いたチャネルフィルタは、振動等の機械的外乱に対して脆弱であるほか、長期の動作を続けると、ミラー駆動の再現性が悪くなるなど、信頼性に問題があった。また、プリアンプやブースタアンプは、多重化された複数波長（チャネル）の信号光を一括して増幅するため、装置が大型化するだけでなく、費用がかかる原因にもなっている。
【０００７】
本発明は、このような問題に鑑みてなされたもので、その目的とするところは、信頼性が高く、小型化、低価格化が可能なチャネルフィルタおよび光分岐挿入装置を提供することにある。
【課題を解決するための手段】
【０００８】
本発明は、このような目的を達成するために、請求項１に記載の発明は、チャネルフィルタであって、波長多重された信号光を波長の異なる複数のチャネルの信号光に分波する波長分波手段と、前記複数のチャネルのそれぞれに励起光を供給する励起光供給手段と、前記励起光供給手段からの複数のチャネルの励起光のそれぞれの光パワーを調整可能な光パワー調整手段と、前記光パワー調整手段により光パワーの調整された励起光により前記複数のチャネルの信号光のそれぞれを増幅または減衰する光増幅手段と、前記光増幅手段により増幅または減衰された信号光のそれぞれの光パワーを検出する光検出手段と、前記光検出手段により検出された信号光のそれぞれの光パワーに応じて、前記光パワー調整手段を制御して前記励起光のそれぞれの光パワーを調整する制御手段と、前記光増幅手段により増幅または減衰された信号光を合波する波長合波手段とを備えたことを特徴とする。
【０００９】
また、請求項２に記載の発明は、請求項１に記載のチャネルフィルタであって、前記波長分波手段、前記光パワー調整手段、前記光増幅手段、前記光検出手段、および前記波長合波手段の少なくとも一部が平面光波回路として作製されていることを特徴とする。
【００１０】
また、請求項３に記載の発明は、チャネルフィルタであって、第１のポートから入力される波長多重された信号光を第２のポートから出力する光サーキュレータ手段と、前記光サーキュレータ手段の第２のポートからの前記波長多重された信号光を波長の異なる複数のチャネルの信号光に分波する波長合分波手段と、前記複数のチャネルのそれぞれに励起光を供給する励起光供給手段と、前記励起光供給手段からの複数のチャネルの励起光のそれぞれの光パワーを調整可能な光パワー調整手段と、前記光パワー調整手段により光パワーの調整された励起光により前記複数のチャネルの信号光のそれぞれを増幅または減衰する光増幅手段と、前記光増幅手段により増幅または減衰された信号光のそれぞれを反射する光反射手段と、前記光反射手段により反射された信号光のそれぞれの光パワーを検出する光検出手段と、前記光検出手段により検出された信号光のそれぞれの光パワーに応じて、前記光パワー調整手段を制御して前記励起光のそれぞれの光パワーを調整する制御手段とを備え、前記光反射手段により反射された信号光は、前記波長合分波手段により合波され、前記光サーキュレータの第２のポートから第３のポートに出力されることを特徴とする。
【００１１】
また、請求項４に記載の発明は、請求項３に記載のチャネルフィルタであって、前記波長合分波手段、前記光パワー調整手段、前記光増幅手段、前記光反射手段、および前記光検出手段の少なくとも一部が平面光波回路として作製されていることを特徴とする。
【００１２】
また、請求項５に記載の発明は、請求項１から４のいずれかに記載のチャネルフィルタであって、前記光増幅媒体は、Ｅｒ添加光導波路であることを特徴とする。
【００１３】
また、請求項６に記載の発明は、光分岐挿入装置であって、請求項１から５のいずれかに記載のチャネルフィルタを備えたことを特徴とする。
【発明の効果】
【００１４】
本発明によるチャネルフィルタおよび光分岐挿入装置は、機械的な駆動部分がなく、光部品のみで構成されるため、機械的な外乱に対して堅牢である。また、各チャネルの信号光の減衰および増幅にＥｒ添加光導波路やＥｒ添加光ファイバ等の光増幅媒体を使用するため、通過チャネルの信号光が増幅され、従来必要であったブースタアンプを省略することができる。このように、本発明によれば、信頼性が高く、小型化および低価格化が可能なチャネルフィルタおよび光分岐挿入装置を提供することができる。
【発明を実施するための最良の形態】
【００１５】
以下、図面を参照しながら本発明のいくつかの実施形態について詳細に説明する。
【００１６】
（第１の実施形態）
図１に、本発明の第１の実施形態に係るチャネルフィルタのブロック図を示す。チャネルフィルタ１００は、波長多重された信号光を波長の異なる複数のチャネルの信号光に分波する分波器１０２と、波長の異なる複数のチャネルの信号光を波長多重された信号光に合波する合波器１０４とを備えている。チャネルフィルタ１００はさらに、分波器１０２からの信号光を励起光と合波する合波器１０６−１〜Ｎと、信号光を励起光で増幅する光増幅媒体１０８−１〜Ｎと、増幅した信号光を順方向にのみ透過する光アイソレータ１１０−１〜Ｎと、透過した信号光をパワー分岐する光分岐器１１２−１〜Ｎとを備えている。光分岐器１１２−１〜Ｎの一方のポートからの信号光は、合波器１０４で波長多重され、波長多重された信号光としてチャネルフィルタ１００から送出される。
【００１７】
チャネルフィルタ１００はさらに、光分岐器１１２−１〜Ｎの他方のポートからの信号光のパワーを検出し、電気信号に変換する光検出器１１４−１〜Ｎと、検出した信号光のパワーに応じて励起光の減衰量を調整する制御回路１１６−１〜Ｎと、制御回路からの減衰量に応じて励起光を減衰する光可変減衰器１１８−１〜Ｎとを備えている。また、チャネルフィルタ１００は、励起光を発生する励起光源１２０と、発生した励起光をパワー分岐して光可変減衰器１１８−１〜Ｎへ供給する光分岐器１２０とを備えている。ここで、Ｎはチャネルフィルタのチャネル数、またはそれより小さい数を想定している。
【００１８】
本実施形態では、波長多重された信号光が分波器１０２に入力され、波長の異なるＮ個のチャネルの信号光に分波される。分波されたそれぞれの信号光は、合波器１０６−１〜Ｎで光可変減衰器１１８−１〜Ｎの励起光と合波され、励起光により光増幅媒体１０８−１〜Ｎ内で増幅される。増幅されたそれぞれの信号光は、光アイソレータ１１０−１〜Ｎを透過することでその入力と出力の間でアイソレートされた後、光分岐器１１２−１〜Ｎでパワー分岐される。光分岐器１１２−１〜Ｎで分岐されたそれぞれの信号光は、光検出器１１４−１〜Ｎでそのパワーに応じた電気信号に変換され、制御回路１１６−１〜Ｎでその電気信号に応じて励起光の減衰量が決定される。光可変減衰器１１８−１〜Ｎは、この減衰量に基づいて、光分岐器１２２からの励起光を減衰し、合波器１０６−１〜Ｎに提供する。
【００１９】
このチャネルフィルタ１００は、図１０に示すように、ドロップするチャネルの信号光を分岐する光分岐器１２と、アドするチャネルの信号光を結合する光結合器２０との間に挿入されて、光分岐挿入装置を構成する。それゆえ、チャネルフィルタ１００の光増幅媒体１０８−１〜Ｎのうち、ドロップするチャネル（またはアドするチャネル）に対応するものは、そのチャネルの信号光を充分に減衰させるために、非励起状態、あるいは低励起状態となるように、制御回路１１６−＊（＊はドロップするチャネル（またはアドするチャネル）に対応するものとする）により光可変減衰器１１８−＊の減衰量が調整される。
【００２０】
一方、チャネルフィルタ１００の光増幅媒体１０８−１〜Ｎのうち、信号光を通過させるチャネルに対応するものは、そのチャネルの信号光を充分に増幅させるために、励起状態となるように、制御回路１１６−＃（＃は通過させるチャネルに対応するものとする）により光可変減衰器１１８−＃の減衰量が調整される。このとき、制御回路１１６−＃は、光検出器１１４−＃で検出された値を用いて光分岐器１１２−＃での出力が規定のレベルとなるように光可変減衰器１１８−＃の減衰量を制御する。光増幅媒体１０８−＃で増幅された信号光は、光分岐器１１２−＃を介して、合波器１０４で合波されてチャネルフィルタ１００の出力として送出される。
【００２１】
本実施形態において、合波器１０２および分波器１０４には、アレイ導波路格子（ＡＷＧ）、光増幅媒体１０８には、Ｅｒイオンを１ｗｔ％添加したＥｒ添加テルライトガラス導波路、合波器１０６には、ファイバ形ＷＥＭ光カプラ、光分岐器１１２には、ファイバ形光分岐器、光検出器１１４には、ＩｎＧａＡｓフォトダイオード、励起光源１２０には、９８０ｎｍ帯のレーザダイオード、光分岐器１２２には、光スプリッタ、光可変減衰器１１８には、ファラデー回転子を用いた減衰器を使用することができる。但し、これらの光部品に限定されるものではない。
【００２２】
また、光増幅媒体１０８は、Ｅｒ添加テルライトガラス導波路に限らず、Ｅｒイオンを１ｗｔ％以上添加したＥｒ添加弗燐酸ガラス導波路、Ｅｒ添加燐酸ガラス導波路、Ｅｒ添加ビスマスガラス導波路であれば、チャネルフィルタのサイズが小型化できる利点がある。また、小型化にやや難があるが、Ｅｒイオンが１００ｗｔｐｐｍ〜１ｗｔ％添加されたＥｒ添加石英ガラスファイバを光増幅媒体として使用してもよい。
【００２３】
Ｅｒ添加光導波路（光増幅媒体１０８）はそれぞれ、非励起状態、あるいは低励起状態のときに損失が４０ｄＢ以上となるようにＥｒイオン濃度、導波路長および閉じ込め係数（光の導波路断面におけるパワーモード分布とＥｒイオン添加領域の重なり）を予め調整する。具体的には、波長１５３０ｎｍのチャネル用のＥｒ添加光導波路は、Ｅｒイオン２ｗｔ％、導波路長７ｃｍ、閉じ込め係数０．５とし、波長１５５０ｎｍのチャネル用のＥｒ添加光導波路は、Ｅｒイオン２ｗｔ％、導波路長１０ｃｍ、閉じ込め係数０．７とし、波長１５８０ｎｍのチャネル用のＥｒ添加光導波路は、Ｅｒイオン３ｗｔ％、導波路長２１．５ｃｍ、閉じ込め係数０．８５とすることができる。このようにすることで、ドロップしたチャネルの信号光がチャネルフィルタ１００を過大なレベルで通過しないようにし、アドするチャネルの信号光に対する干渉を防止することができる。
【００２４】
本実施形態に係るチャネルフィルタには、機械的駆動部を有する部品を使用していないので、振動等の機械的外乱に対しても非常に堅牢である。また、このチャネルフィルタには、通過する信号光のチャンネルに対して光増幅機能があるため、図２に示すように、ブースタアンプを省略することができる。したがって、従来の図１１に示すノードのシステム構成と比較して、光増幅器を削減でき、システムの小型化、低価格化が可能となる。
【００２５】
（第２の実施形態）
図３に、本発明の第２の実施形態に係るチャネルフィルタのブロック図を示す。このチャネルフィルタ２００は、第１の実施形態に係るチャネルフィルタ１００と比較して、光検出器１１４−１〜Ｎに代えて光検出器２１４を、制御回路１１６−１〜Ｎに代えて制御回路２１６を、光可変減衰器１１８−１〜Ｎに代えて光可変減衰器２１８を備えている。その他の構成要素は、第１の実施形態の場合と同様である。
【００２６】
本実施形態において、光検出器２１４は、光分岐器１１２−１〜Ｎからのそれぞれの信号光のパワーを検出し、電気信号に変換して制御回路２１６に提供する。制御回路２１６は、光可変減衰器２１８を制御して検出したそれぞれのチャネルの信号光のパワーに応じて励起光の減衰量を調整する。光可変減衰器２１８は、制御回路２１６からの減衰量に応じてそれぞれのチャネルの励起光を減衰する。このように、各チャネルに共通する機能を１つの機能ブロックにまとめることで小型化が可能となる。なお、チャネルフィルタ全体としての機能は、第１の実施形態の場合と同様である。
【００２７】
さらに、図４に示すように、合波器１０６−１〜Ｎおよび光可変減衰器１１８−１〜Ｎを１つの平面光波回路２２０として構成することができる。また、分波器１０２を平面光波回路として構成することも可能である。平面光波回路２２０において、合波器１０６−１〜Ｎおよび光可変減衰器１１８−１〜Ｎは、石英導波路により作製することができる。光可変減衰器１１８−１〜Ｎは、マッハツェンダ（ＭＺ）干渉計の一方のアームにヒータを取り付け（図示せず）、ヒータの温度を制御することにより、光波の透過率を可変する熱光学スイッチとして構成することができる。また、図５に示すように、図４の平面光波回路２２０を同じく平面光波回路として作製した光分岐器１２２と組み合わせて使用することもできる。
【００２８】
図４および図５では、合波器１０６−１〜Ｎおよび光分岐器１１２−１〜ＮはＭＺ干渉計により作製されているように図示しているが、合分波する信号光と励起光の条件によっては方向性結合器を用いてもよい。なお、図４および図５に示した光回路は一例にすぎず、他の構成の平面光波回路として作製することも可能であり、これらに限定されるものではない。
【００２９】
（第３の実施形態）
図６に、本発明の第３の実施形態に係るチャネルフィルタのブロック図を示す。このチャネルフィルタ３００は、第２の実施形態に係るチャネルフィルタ２００と比較して、分波器１０２、合波器１０４および光アイソレータ１１０−１〜Ｎに代えて、光サーキュレータ３０２、合分波器３０４および反射ミラー３０６を備えている。その他の構成要素は、第１の実施形態の場合と同様である。
【００３０】
本実施形態では、波長多重された信号光が光サーキュレータ３０２を透過後、合分波器３０４により波長の異なる複数のチャネルの信号光に分波される。分波されたそれぞれの信号光は、合波器１０６−１〜Ｎで光可変減衰器２１８からの励起光と合波され、励起光により光増幅媒体１０８−１〜Ｎ内で増幅される。増幅されたそれぞれの信号光は、反射ミラー３０６で反射された後、光増幅媒体１０８−１〜Ｎ内でさらに増幅され、光分岐器１１２−１〜Ｎでパワー分岐される。光分岐器１１２−１〜Ｎで分岐されたそれぞれの信号光は、光検出器２１４でそのパワーに応じた電気信号に変換され、制御回路２１６でその電気信号に応じて励起光の減衰量が決定される。光可変減衰器２１８は、この減衰量に基づいて、光分岐器１２２からの励起光を減衰し、合波器１０６−１〜Ｎに提供する。
【００３１】
ここで、本実施形態に係るチャネルフィルタ３００においても、第１および第２の実施形態の場合と同様に、ドロップするチャネル（またはアドするチャネル）に対応する光増幅媒体１０８−＊で信号光を充分に減衰させるために、非励起状態、あるいは低励起状態となるように、制御回路２１６により光可変減衰器２１８の該当するチャネルの減衰量が調整される。また、信号光を通過させるチャネルに対応する光増幅媒体１０８−＃で信号光を充分に増幅させるために、励起状態となるように、制御回路２１６により光可変減衰器の該当するチャネルの減衰量が調整される。光増幅媒体１０８−＃で増幅された信号光は、光分岐器１１２−＃を介して、合分波器３０４で合波されてチャネルフィルタ３００の出力として送出される。
【００３２】
Ｅｒ添加光導波路（光増幅媒体１０８）はそれぞれ、非励起状態、あるいは低励起状態のときに損失が４０ｄＢ以上となるようにＥｒイオン濃度、導波路長および閉じ込め係数（光の導波路断面におけるパワーモード分布とＥｒイオン添加領域の重なり）を予め調整する。具体的には、波長１５３０ｎｍのチャネル用のＥｒ添加光導波路は、Ｅｒイオン２．５ｗｔ％、導波路長１２ｃｍ、閉じ込め係数０．３０とし、波長１５５０ｎｍのチャネル用のＥｒ添加光導波路は、Ｅｒイオン２．５ｗｔ％、導波路長１２ｃｍ、閉じ込め係数０．６０とし、波長１５６５ｎｍのチャネル用のＥｒ添加光導波路は、Ｅｒイオン２．５ｗｔ％、導波路長１２ｃｍ、閉じ込め係数０．８２とすることができる。このようにすることで、ドロップしたチャネルの信号光がチャネルフィルタ３００を過大なレベルで通過しないようにし、アドするチャネルの信号光に対する干渉を防止することができる。
【００３３】
本実施形態に係るチャネルフィルタには、機械的駆動部を有する部品を使用していないので、振動等の機械的外乱に対しても非常に堅牢である。さらに、本実施形態に係るチャネルフィルタ３００は、第１および第２の実施形態に係るチャネルフィルタと異なり、１つの合分波器で信号光の合波および分波を行うため、小型化に有利である。また、別個の合波器と分波器を用いた場合、製造誤差等に起因する透過スペクトルの相違により帯域が制限されてしまうという問題があるが、１つの合分波器を用いる場合には、このような問題が生じない。
【００３４】
さらに、図７に示すように、合波器１０６−１〜Ｎ、光分岐器１１２−１〜Ｎおよび光可変減衰器１１８−１〜Ｎを１つの平面光波回路３２０として構成することができる。また、合分波器３０４を平面光波回路として構成することも可能である。平面光波回路３２０において、合波器１０６−１〜Ｎ、光分岐器１１２−１〜Ｎおよび光可変減衰器１１８−１〜Ｎは、石英導波路により作製することができる。光可変減衰器１１８−１〜Ｎは、マッハツェンダ（ＭＺ）干渉計の一方のアームにヒータを取り付け（図示せず）、ヒータの温度を制御することにより、光波の透過率を可変する熱光学スイッチとして構成することができる。また、図８に示すように、図７の平面光波回路３２０を、同じく平面光波回路として作製した光分岐器１２２および光検出器２１４と組み合わせて使用することもできる。光検出器２１４は、例えばフォトダイオードアレイ３２２として構成することができる。なお、図７および図８では、合波器１０６−１〜Ｎおよび光分岐器１１２−１〜ＮはＭＺ干渉計により作製されているように図示しているが、合分波する信号光と励起光の条件によっては方向性結合器を用いてもよい。
【００３５】
さらに、図９に示すように、図７の平面光波回路３２０を、同じく平面光波回路として作製したＥｒ添加光導波路アレイ３２４と組み合わせて使用することができる。Ｅｒ添加光導波路アレイ３２４は、Ｅｒ添加光導波路１０８−１〜Ｎを備え、端面に反射ミラー３０６が形成されている。このように、Ｅｒ添加導波路アレイと反射ミラー３０６を１つの平面光波回路とすることで、チャネルフィルタのサイズを従来に比べて２０％削減することができる。
【００３６】
Ｅｒ添加導波路１０８−１〜Ｎは、Ｅｒイオンを１ｗｔ％以上添加したＥｒ添加テルライトガラス導波路、Ｅｒ添加弗燐酸ガラス導波路、Ｅｒ添加燐酸ガラス導波路、Ｅｒ添加ビスマスガラス導波路とすることができる。さらに、各チャネルの信号光の透過防止、または光増幅を行うＥｒ添加光導波路１０８−１〜Ｎの長さを揃えることで、Ｅｒ添加光導波路アレイ３２４の作製が容易になる。なお、図７〜９に示した光回路は一例にすぎず、他の構成の平面光波回路として作製することも可能であり、これらに限定されるものではない。
【００３７】
以上、本発明について、具体的にいくつかの実施形態について説明したが、本発明の原理を適用できる多くの実施可能な形態に鑑みて、ここに記載した実施形態は、単に例示に過ぎず、本発明の範囲を限定するものではない。ここに例示した実施形態は、本発明の趣旨から逸脱することなくその構成と詳細を変更することができる。さらに、説明のための構成要素は、本発明の趣旨から逸脱することなく変更、補足、またはその順序を変えてもよい。
【図面の簡単な説明】
【００３８】
【図１】本発明の第１の実施形態に係るチャネルフィルタのブロック図である。
【図２】本発明による光分岐挿入装置を用いたシステム構成例を示す図である。
【図３】本発明の第２の実施形態に係るチャネルフィルタのブロック図である。
【図４】本発明に係るチャネルフィルタの合波器および光可変減衰器を平面光波回路として構成した一例を示す図である。
【図５】光分岐器を平面光波回路として作成し、図４の平面光波回路と組み合わせて構成した一例を示す図である。
【図６】本発明の第３の実施形態に係るチャネルフィルタのブロック図である。
【図７】本発明に係るチャネルフィルタの合波器、光分岐器および光可変減衰器を平面光波回路として構成した一例を示す図である。
【図８】光分岐器および光検出器をそれぞれ平面光波回路として作製し、図７の平面光波回路と組み合わせて構成した一例を示す図である。
【図９】Ｅｒ添加光導波路アレイを平面光波回路として作製し、図７の平面光波回路と組み合わせて構成した一例を示す図である。
【図１０】光分岐挿入装置の一般的なブロック図である。
【図１１】光分岐挿入装置を用いた一般的なシステム構成例を示す図である。
【符号の説明】
【００３９】
１２  光分岐器
２０  光結合器
２２  プリアンプ
２４  ブースタアンプ
１００  第１の実施形態に係るチャネルフィルタ
１０６  合波器
１０８  光増幅媒体
１１０  光アイソレータ
１１２  光分岐器
１１８  光可変減衰器
２００  第２の実施形態に係るチャネルフィルタ
２２０  平面光波回路
３００  第３の実施形態に係るチャネルフィルタ
３０２  光サーキュレータ
３２０  平面光波回路
３２２  フォトダイオードアレイ
３２４  Ｅｒ添加光導波路アレイ
【図１】
2008193512.tif 000003
【図２】
2008193512.tif 000004
【図３】
2008193512.tif 000005
【図４】
2008193512.tif 000006
【図５】
2008193512.tif 000007
【図６】
2008193512.tif 000008
【図７】
2008193512.tif 000009
【図８】
2008193512.tif 000010
【図９】
2008193512.tif 000011
【図１０】
2008193512.tif 000012
【図１１】
2008193512.tif 000013